(57)【特許請求の範囲】
【請求項１】
読み取る原稿がセットされるコンタクトガラスと、表示される画像に対する使用者の操作を認識するためのタッチパネル部を含み、前記コンタクトガラスを透過型ディスプレイとして用いるスキャンテーブル部と、
前記コンタクトガラスにセットされた原稿を押さえるためのカバー部と、
前記コンタクトガラスにセットされた原稿を読み取る読取部と、
前記読取部による読み取り結果として、原稿の画像データを生成する画像処理部と、を含み、
前記スキャンテーブル部は、
原稿のセット位置を示す原稿フレームと原稿のセットに関するガイダンスを表示し、
セット原稿のサイズを設定するための原稿サイズキーを表示し、
前記タッチパネル部の出力に基づき、前記原稿サイズキーへの操作によって選択された原稿サイズに対応する大きさの前記原稿フレームを表示し、
前記タッチパネル部は、前記原稿フレームの一部をタッチしたままタッチ位置をスライド移動させる原稿フレーム移動操作を受け付け、
前記スキャンテーブル部は、前記原稿フレーム移動操作によって指定された位置に前記原稿フレームを表示することを特徴とする画像読取装置。
【請求項２】
前記カバー部の開閉状態を検知するための開閉センサーを含み、
前記スキャンテーブル部は、前記カバー部が一定角度以上開けられている状態で前記原稿フレームを表示することを特徴とする請求項１に記載の画像読取装置。
【請求項３】
前記カバー部が閉じられた状態のとき、前記スキャンテーブル部は、透過状態となり、
前記読取部は、前記スキャンテーブル部が透過状態のとき、原稿の読み取りを行うことを特徴とする請求項１又は２に記載の画像読取装置。
【請求項４】
前記読取部は、前記タッチパネル部で指定されたサイズで原稿を読み取り、
前記スキャンテーブル部は、原稿の読み取りにより得られた画像データである読取画像データに基づくプレビュー画像を、前記読取画像データの実寸大で表示することを特徴とする請求項１乃至３の何れか１項に記載の画像読取装置。
【請求項５】
前記スキャンテーブル部は、前記画像処理部が前記読取画像データに基づき生成し、出力に用いる出力用画像データのサイズを設定するための出力サイズキーを表示し、操作された前記出力サイズキーに対応する大きさのフレームであって、前記画像処理部が前記読取画像データに基づき生成する出力用画像データの実寸大のフレームである出力フレームを前記プレビュー画像に重ねて表示することを特徴とする請求項４に記載の画像読取装置。
【請求項６】
前記タッチパネル部は、前記プレビュー画像の位置を移動させる操作、又は、前記出力フレームの位置を移動させる操作を受け付け、
前記スキャンテーブル部は、移動後の位置に前記プレビュー画像、又は、前記出力フレームを表示し、
前記画像処理部は、前記読取画像データのうち前記出力フレームに対応する部分を切り出して前記出力用画像データを生成することを特徴とする請求項５に記載の画像読取装置。
【請求項７】
前記タッチパネル部は、前記読取画像データの拡大又は縮小操作を受け付け、
前記スキャンテーブル部は、前記タッチパネル部になされた拡大又は縮小操作に応じて拡大、又は、縮小された前記プレビュー画像を表示し、
前記画像処理部は、前記読取画像データに拡大又は縮小操作に応じたズーム処理を行って、前記出力用画像データを生成することを特徴とする請求項５又は６に記載の画像読取装置。
【請求項８】
前記カバー部は、前記コンタクトガラスと接する清掃部材と前記清掃部材を移動させて前記スキャンテーブル部の上面の汚れを拭き取る清掃機構を含むことを特徴とする請求項１乃至７の何れか１項に記載の画像読取装置。
【請求項９】
前記清掃部材は、前記コンタクトガラスの主走査方向の幅よりも長く、前記清掃部材は前記コンタクトガラスをまたぐように設けられ、
前記清掃機構は、前記コンタクトガラスの上面全体の拭き取りがなされるように、前記清掃部材を前記コンタクトガラスの副走査方向に移動させることを特徴とする請求項８に記載の画像読取装置。
【請求項１０】
前記スキャンテーブル部は、実行しようとするジョブに関する設定画面と、設定用のキーを表示し、
前記タッチパネル部は、実行しようとするジョブに関する設定を受け付けることを特徴とする請求項１乃至９の何れか１項に記載の画像読取装置。
【請求項１１】
請求項１乃至１０の何れか１項に記載の画像読取装置を含むことを特徴とする画像形成装置。
【請求項１２】
請求項４乃至７の何れか１項に記載の画像読取装置と、
印刷を行う印刷部を含み、
前記印刷部は、前記プレビュー画像の表示後、前記カバー部が閉じられたとき、前記読取画像データに基づき印刷を行うことを特徴とする画像形成装置。
【請求項１３】
請求項４乃至７の何れか１項に記載の画像読取装置と、
送信を行う通信部を含み、
前記通信部は、前記プレビュー画像の表示後、前記カバー部が閉じられたとき、前記読取画像データ基づいたデータを送信することを特徴とする画像形成装置。
【発明の詳細な説明】
【技術分野】
【０００１】
本発明は、原稿を読み取って画像データを生成する画像読取装置と、画像読取装置を備えた画像形成装置に関する。
【背景技術】
【０００２】
画像読取装置は、セットされた原稿を読み取り、原稿の画像データを生成する。また、コピーやスキャン送信のようなジョブでは、原稿を読み取る必要があるため、複合機、複写機、ファクシミリ装置のような画像形成装置は画像読取装置を含む。また、原稿のセット方向、読取解像度、原稿のサイズのような項目に関して設定するため、画像読取装置や画像形成装置に、操作パネルが設けられる場合がある。
【０００３】
操作パネルが設けられた画像形成装置の一例が特許文献１に記載されている。具体的に特許文献１には、カラー原稿画像を読取る読取手段（スキャナ１）と、読取られたカラー画像を編集する編集手段と、編集されたカラー画像を記録媒体へカラー記録する記録手段（記録ヘッド３７）とを備え、編集手段は、編集内容の指示を受付けるための操作部（操作部１０、操作パネル）と、カラー画像をカラー表示する表示部（カラー液晶、液晶表示板６０１）とを備え、操作部から表示部に表示したカラー画像の編集内容を指示できる画像形成装置が記載されている。これにより、表示部にカラー画像を表示して、表示部にカラー表示された画像を見ながら画像の色調整できるようにしようとする（特許文献１：請求項１、段落［０００６］、図６参照）。
【先行技術文献】
【特許文献】
【０００４】
【特許文献１】特開平０６−３４３１１９号公報
【発明の概要】
【発明が解決しようとする課題】
【０００５】
従来、画像読取装置や画像形成装置の操作パネルには、表示部（表示パネル）が設けられることがある。この表示部には、ガイダンス、設定用の画面、メッセージなどが表示される。また、表示パネルに対してタッチパネルを設け、画面内に、項目の選択や、選択した項目で設定値を定めるためのソフトキー、ボタン、タブなどを表示パネルに表示させることもある。また、どのような画像出力となるかを示すため、プレビュー画像を表示パネルに表示することもある。このように、表示パネルには様々な画面や画像が表示される。
【０００６】
しかし、特許文献１に記載されるように、画像読取装置や画像形成装置の操作パネルに含まれる表示部の画面サイズは小型であるという問題がある。画面サイズが小型なので、プレビュー画像は、実際のサイズよりもずっと小さい。しかし、実際のサイズよりもずっと小さいサイズのプレビュー画像を見て、設定が適切か否かを判断しなければならない。そのため、プレビュー画像を確認しても、得られる画像データや、画像データに基づく印刷物は、使用者が意図するサイズ、内容とならない場合がある。
【０００７】
なお、表示部（操作パネル）を大型化するにも限度がある。また、画像読取装置や画像形成装置に対して、表示部（操作パネル）が大きくすると、画像読取装置や画像形成装置を設置するには、今までよりも広いスペースが必要となるという問題もある。
【０００８】
尚、特許文献１記載のカラーイメージスキャナ装置では、操作部は、カラーイメージスキャナ装置の上面の原稿押さえ１１の右側の小さなスペースに設けられる（特許文献１：図１参照）。表示部は、操作部内に設けられ、操作部よりも小さい。特許文献１記載の装置は、従来のように、表示部の画面サイズが小さく、上記の問題点を含む。
【０００９】
本発明は、上記従来技術の問題点に鑑みてなされたものであり、画像読取装置、画像形成装置を大型化することなく、装置の画面サイズを従来よりも飛躍的に大きくする。これにより、実寸大でプレビュー画像を表示できようにする。
【課題を解決するための手段】
【００１０】
上記課題解決のため、請求項１に係る画像読取装置は、スキャンテーブル部と、カバー部と、読取部と、画像処理部を含む。前記スキャンテーブル部は、読み取る原稿がセットされるコンタクトガラス（載置読取用コンタクトガラス）と、表示される画像に対する使用者の操作を認識するためのタッチパネル部を含み、コンタクトガラスを透過型ディスプレイとして用いる。前記カバー部は、コンタクトガラスにセットされた原稿を押さえる。前記読取部は、コンタクトガラスにセットされた原稿を読み取る。画像処理部は、読取部による読み取り結果として、原稿の画像データを生成する。前記スキャンテーブル部は、
原稿のセット位置を示す原稿フレームと原稿のセットに関するガイダンスを表示する。前記スキャンテーブル部は、セット原稿のサイズを設定するための原稿サイズキーを表示する。前記タッチパネル部の出力に基づき、前記スキャンテーブル部は、前記原稿サイズキーへの操作によって選択された原稿サイズに対応する大きさの前記原稿フレームを表示する。前記タッチパネル部は、前記原稿フレームの一部をタッチしたままタッチ位置をスライド移動させる原稿フレーム移動操作を受け付ける。前記スキャンテーブル部は、前記原稿フレーム移動操作によって指定された位置に前記原稿フレームを表示する。
【発明の効果】
【００１１】
本発明によれば、今までよりも画像読取装置、画像形成装置を大型化することなく、装置の画面サイズを従来よりも飛躍的に大きくする。
【図面の簡単な説明】
【００１２】
【図１】実施形態に係る複合機の一例を示す図である。
【図２】実施形態に係る複合機の一例を示す図である。
【図３】実施形態に係る画像読取装置の一例を示す図である。
【図４】実施形態に係る画像読取装置の透過型ディスプレイの一例を示す図である。
【図５】スキャンテーブル部（画像読取部）を上面側から見た図である。
【図６】実施形態に係る画像読取装置（複合機）での原稿の読み取りの流れの一例を示すフローチャートである。
【図７】実施形態に係る原稿フレームの一例を示す図である。
【図８】実施形態に係る原稿フレームの位置の移動の一例を示す図である。
【図９】実施形態に係るスキャンテーブル部の状態変化の一例を示す図である。
【図１０】実施形態に係る画像読取装置（複合機）でのプレビュー画像の表示の流れの一例を示すフローチャートである。
【図１１】実施形態に係る出力フレームの一例を示す図である。
【図１２】出力する画像データの拡大の一例を示す図である。
【図１３】出力する画像データの縮小の一例を示す図である。
【図１４】実施形態に係る出力フレームの位置の移動の一例を示す図である。
【図１５】実施形態に係るプレビュー画像の位置の移動の一例を示す図である。
【図１６】実施形態に係る画像読取装置での清掃を説明するための図である。
【発明を実施するための形態】
【００１３】
以下、図１〜図１６を用いて本発明の実施形態を説明する。以下の説明では、画像読取装置１を備えた複合機１００（画像形成装置に相当）を例に挙げて説明する。但し、本実施の形態に記載されている構成、配置等の各要素は、発明の範囲を限定するものではなく単なる説明例にすぎない。
【００１４】
（複合機１００の概略）
次に、図１、図２に基づき、実施形態に係る複合機１００の概略を説明する。図１、図２は、実施形態に係る複合機１００の一例を示す図である。
【００１５】
図１に示すように、本実施形態の複合機１００は、上部に画像読取部２と原稿搬送部３（カバー部に相当）を含む画像読取装置１が設けられる。又、複合機１００の内部に、印刷を行う印刷部４（給紙部４ａ、搬送部４ｂ、画像形成部４ｃ、定着部４ｄ）が設けられる。
【００１６】
原稿搬送部３は、画像読取部２の載置読取用コンタクトガラス７１にセットされた原稿Ｄを押さえるカバーとして機能する。また、原稿搬送部３は、セットされた原稿Ｄを１枚ずつ送り読取用コンタクトガラス３１（読み取り位置）に向けて連続的、自動的に搬送する。画像読取部２は、載置読取用コンタクトガラス７１にセットされた原稿Ｄや、原稿搬送部３が搬送する原稿Ｄを読み取り、画像データを生成する。
【００１７】
印刷部４のうち、給紙部４ａは、複数の用紙を収容する。印刷ジョブを実行するとき、給紙部４ａは、用紙を１枚ずつ搬送部４ｂに送り込む。搬送部４ｂは、何れかの給紙部４ａから供給された用紙を搬送する。画像形成部４ｃは、画像データに基づきトナー像を形成し、搬送される用紙にトナー像を転写する。定着部４ｄは、用紙に転写されたトナー像を定着させる。トナー定着後の用紙は、排出トレイ４１に排出される。
【００１８】
図２に示すように、複合機１００内に、主制御部５が設けられる。主制御部５は、画像形成装置の動作制御を司る。主制御部５は、ＣＰＵ５１、第２画像処理部５２（画像処理部に相当）のような回路を含む。ＣＰＵ５１は、中央演算処理装置である。ＣＰＵ５１は、記憶部６に記憶されるプログラム、データに基づき画像形成装置の各部の制御や、各種の演算処理を行う。第２画像処理部５２は、画像データに対して画像処理を行い、印刷や送信に用いる出力用画像データを生成する。
【００１９】
記憶部６は、ＲＡＭ６１のような揮発性の記憶装置と、ＲＯＭ６２、ＨＤＤ６３のような不揮発性の記憶装置を含む。記憶部６は、複合機１００（画像読取装置１）の制御用の各種のプログラムやデータ、設定データ、画像データのような各種データを記憶する。また、記憶部６は、コピー、プリント、スキャン送信、ボックス保存、ボックス印刷のようなジョブの実行に必要なデータを、少なくもジョブが完了するまで記憶する。
【００２０】
又、主制御部５は、原稿搬送部３、画像読取部２、印刷部４の各部とバスのような信号線で接続される。主制御部５は、各部の存在を認識する。そして、主制御部５は、スキャンや印刷のような複合機１００の動作を制御する。更に、主制御部５は、各種コネクタ、ソケット、通信制御用のチップを備えた通信部５３と接続される。通信部５３は、ネットワークや公衆回線やケーブルを介し、ＰＣやサーバーのようなコンピューター２００や、ＦＡＸ装置３００と通信可能に接続される。
【００２１】
（画像読取装置１）
次に、図３を用いて実施形態に係る画像読取装置１を説明する。図３は、実施形態に係る画像読取装置１の一例を示す図である。
【００２２】
画像読取装置１は、原稿搬送部３、画像読取部２、第２画像処理部５２、記憶部６を含む。原稿搬送部３は、セットされた原稿Ｄを送り読取用コンタクトガラス３１に向けて搬送する。また、原稿搬送部３は、正面側を上下に振るようにして開閉可能である（図１参照）。原稿搬送部３を持ち上げて開くと、載置読取用コンタクトガラス７１を露出させることができる。また、原稿搬送部３は、載置読取用コンタクトガラス７１の表面の汚れを落とすための清掃部材８１、清掃機構８２、清掃モーター８３を含む（詳細は後述）。
【００２３】
また、画像読取装置１は、画像読取部２を含む。画像読取部２は、読取制御部２０、読取部２１、第１画像処理部２２を内蔵する。また、画像読取部２は、スキャンテーブル部７、開閉センサー２３を含む。
【００２４】
読取制御部２０は、ＣＰＵ（不図示）やメモリー（不図示）を含む基板である。読取制御部２０は、画像読取部２（画像読取装置１）の動作を制御するコントローラーである。なお、画像読取部２内に読取制御部２０を設けず、主制御部５が画像読取部２の動作を制御してもよい。言い換えると、以下で説明する読取制御部２０が行う処理、制御を主制御部５が行ってもよい（この場合、主制御部５が画像読取装置１の制御部として機能）。
【００２５】
スキャンテーブル部７は、載置読取用コンタクトガラス７１（コンタクトガラスに相当）を含む。そして、本実施形態の画像読取装置１、複合機１００では、載置読取用コンタクトガラス７１に画面、画像を映す。言い換えると、載置読取用コンタクトガラス７１の部分をディスプレイとして用いる（詳細は後述）。
【００２６】
開閉センサー２３は、原稿搬送部３が載置読取用コンタクトガラス７１の上面に対して一定角度以上（２５度から５０度程度）、開けられているか否かを検知するセンサーである。開閉センサー２３は、原稿搬送部３の開閉を検知できるセンサーであればよい。例えば、開閉センサー２３には、透過型の光センサーを含み、原稿搬送部３が一定角度よりも閉じられると、原稿搬送部３の下面と接する可動部材（不図示）が光路を遮り、一定角度以上開けられると上方に付勢される可動部材が光路を遮らなくなるようなスイッチ型のセンサーを用いることができる。尚、開閉センサー２３の出力は、読取制御部２０に入力される。読取制御部２０は、開閉センサー２３の出力に基づき、原稿搬送部３が一定角度よりも開けられたこと、原稿搬送部３が一定角度よりも閉じられたことを検知する。
【００２７】
読取部２１は、原稿Ｄを読み取る部分であり、光源部２１ａ、移動枠２１ｂ、移動機構２１ｃ、巻取モーター２１ｄ、イメージセンサー２１ｅを含む。
【００２８】
光源部２１ａは、載置読取用コンタクトガラス７１上の原稿Ｄ、又は、送り読取用コンタクトガラス３１を通過する原稿Ｄに光を照射する。移動枠２１ｂは、光源部２１ａやイメージセンサー２１ｅに光を導くミラーが取り付けられる。移動機構２１ｃは、移動枠２１ｂに接続されたワイヤー（不図示）や、ワイヤーを引っかける滑車（不図示）や、ワイヤーを巻き取る巻取モーター２１ｄを含む。巻取モーター２１ｄの駆動力を利用して、移動機構２１ｃは、副走査方向で移動枠２１ｂを移動させる。読取制御部２０は、巻取モーター２１ｄの回転方向を制御して、移動枠２１ｂを自在に移動させる。移動枠２１ｂの移動によって、原稿Ｄの読み取り位置を変えることができる。原稿搬送部３が搬送する原稿Ｄを読み取るとき、移動機構２１ｃは、移動枠２１ｂを送り読取用コンタクトガラス３１の下方に移動させる。載置読取用コンタクトガラス７１にセットされた原稿Ｄを読み取るとき、移動機構２１ｃは、載置読取用コンタクトガラス７１の下方を副走査方向で移動させる。
【００２９】
イメージセンサー２１ｅは、原稿Ｄを読み取るためラインセンサーであり、列状に並べられた複数の光電変換素子を含む。イメージセンサー２１ｅの各光電変換素子は、原稿Ｄの反射光を受光し、受光量（原稿Ｄの各画素の濃度）に応じたアナログ電圧を出力する。第１画像処理部２２は、イメージセンサー２１ｅの出力（アナログ電圧）をＡ／Ｄ変換し、原稿Ｄのディジタルデータ（画像データ）を生成する。また、第１画像処理部２２は、シェーディング補正のような予め定められた画像処理を行う。
【００３０】
第１画像処理部２２が処理した画像データ（原稿Ｄを読み取ることにより得られた画像データ、読取画像データ）は、記憶部６に送られる。主制御部５の第２画像処理部５２は、記憶部６に記憶された読取画像データに対し、実行するジョブに応じた画像処理を行い、出力に用いる出力用画像データを生成する。
【００３１】
コピージョブ（原稿Ｄの読み取りで得られた画像データに基づく印刷、原稿Ｄの複写）やボックス印刷ジョブ（過去に原稿Ｄを読み取り、記憶部６に不揮発的に記憶させた画像データに基づく印刷）を行うとき、第２画像処理部５２は、出力用画像データを印刷部４に送る。そして、印刷部４は、受信した画像データに基づき印刷を行う。また、スキャン送信ジョブ（原稿Ｄの読み取りで得られたデータに基づく画像データの送信）を行うとき、第２画像処理部５２は、送信用に処理し、生成した出力用画像データを通信部５３に送る。通信部５３は、出力用画像データを指定された宛先に送信する。
【００３２】
（透過型ディスプレイ）
次に、図３、図４を用いて、実施形態に係る画像読取装置１での透過型ディスプレイを説明する。図４は、実施形態に係る画像読取装置１の透過型ディスプレイの一例を示す図である。
【００３３】
従来、画像読取装置１には、コンタクトガラスが設けられる。そして、本実施形態の画像読取装置１は、このコンタクトガラスの部分を透過型ディスプレイのガラス板としても用いる。
【００３４】
本実施形態の画像読取装置１（画像読取部２）のスキャンテーブル部７は、コンタクトガラス（載置読取用コンタクトガラス７１）、透明表示パネル７２、タッチパネル部７３を含む。図４のうち、例えば、中央が載置読取用コンタクトガラス７１である。そして、載置読取用コンタクトガラス７１の上面側に、使用者による操作を受け付けるためのタッチパネル部７３が設けられる。タッチパネル部７３は、載置読取用コンタクトガラス７１の全面を覆う。通常、タッチパネル部７３は、透明である。
【００３５】
また、コンタクトガラスの下面側（コンタクトガラスとタッチパネル部７３の間でもよい）に、透明表示パネル７２が重ねられる。透明表示パネル７２も載置読取用コンタクトガラス７１の全面に重ねられる大きさを有する。透明表示パネル７２は、透明電極を用いるなどして光が透過するように形成された表示パネルであって、液晶や有機ＥＬを用いた表示パネルである。透明表示パネル７２は、透過率が予め定められた値以上であり、白で表現する部分が透明となる（透過する）パネルである。
【００３６】
また、透明表示パネル７２に液晶を用いるとき、画像読取部２内には、バックライト部７４が設けられる（図３参照）。スキャンテーブル部７でメッセージや画像を表示するとき、読取制御部２０は、バックライト部７４を点灯させる。原稿Ｄを読み取るときや、原稿搬送部３が一定角度よりも閉じられているときのように点灯する必要がないとき、読取制御部２０は、バックライト部７４を消灯させる。
【００３７】
（スキャンテーブル部７での設定画面の表示）
次に、図５を用いて、実施形態に係るスキャンテーブル部７での設定画面の表示を説明する。図５は、実施形態に係るスキャンテーブル部７に表示される設定画面の一例を示す図である。図５は、意図的に原稿搬送部３と画像読取部２内部の図示を省略し、スキャンテーブル部７（画像読取部２）を上面側から見た図である。
【００３８】
実施形態に係る複合機１００（画像読取装置１）の載置読取用コンタクトガラス７１には、設定画面やメッセージを表示させることができる。言い換えると、スキャンテーブル部７（透明表示パネル７２）は、各種メッセージ、設定画面、ソフトキーを表示する。設定画面としては、用いる機能（ジョブの種類）の選択画面、選択した機能に関する項目の画面がある。選択や設定値設定のため、ソフトキーが各画面内に表示される。
【００３９】
そして、スキャンテーブル部７の最上面はタッチパネル部７３となっている。タッチパネル部７３は、スキャンテーブル部７が表示する画面内のソフトキー（ボタン）やタブのうち、使用者が操作した（タッチした、押した）部分の位置、座標を検出するためのものである。読取制御部２０は、タッチパネル部７３の出力に基づき、操作されたソフトキーやタブを認識する。
【００４０】
スキャンテーブル部７が表示するソフトキーに対する操作に応じ、読取制御部２０は、表示する画面をスキャンテーブル部７に切り替えさせる。各画面を表示するためのデータ（画面や画像やソフトキーを表示するための画像やテキストのデータ）は、記憶部６や、読取制御部２０内のメモリー（不図示）に記憶される。
【００４１】
図５は、スキャンテーブル部７に表示されたメインメニュー画面Ｓ１の一例を示す。メインメニュー画面Ｓ１は、階層上、最上位の画面である。主電源投入で起動したとき、省電力モードを解除したとき、ジョブが完了したとき、読取制御部２０は、メインメニュー画面Ｓ１をスキャンテーブル部７に表示させる。メインメニュー画面Ｓ１には、用いようとする機能（ジョブの種類）を選ぶための機能選択キーＫ１（アイコン）が表示される。何れかの機能選択キーＫ１をタッチして、コピー、スキャン送信、ボックス保存、ボックス印刷のようなジョブの種類を選択することができる。例えば、コピージョブを行いたいとき、「Ｃｏｐｙ」の語を含む機能選択キーＫ１を操作する。
【００４２】
機能選択後、読取制御部２０は、設定項目を選択する画面や、選択された項目の設定値を設定するための画面をスキャンテーブル部７に表示させる。なお、項目を選択する画面や、設定値を設定するための画面の種類は多数に及ぶので、図示は省略する。
【００４３】
また、読取制御部２０は、ジョブに関する設定用の画面を表示している間、ジョブの実行を指示するスタートキーＫ２や、数字入力用のソフトキーのようなよく用いられるソフトキーをスキャンテーブル部７に表示させてもよい。そして、読取制御部２０は、タッチパネル部７３で受け付けられたジョブに関する設定と、スタートキーＫ２によるジョブの実行開始指示を認識する。これにより、従来のようなハードキーや表示部を含む操作パネルを設けなくても、スキャンテーブル部７上で複合機１００、画像読取装置１に関するあらゆる操作、設定を行うことができる。
【００４４】
（原稿Ｄの読み取り）
次に、図６〜図９を用いて、実施形態に係る画像読取装置１（複合機１００）での原稿Ｄの読み取りの流れの一例を説明する。図６は、実施形態に係る画像読取装置１（複合機１００）での原稿Ｄの読み取りの流れの一例を示すフローチャートである。図７は、実施形態に係る原稿フレームＦ１の一例を示す図である。図８は、実施形態に係る原稿フレームＦ１の位置の移動の一例を示す図である。図９は、実施形態に係るスキャンテーブル部７の状態変化の一例を示す図である。
【００４５】
図６のフローチャートのスタートは、スキャンテーブル部７で原稿読取を伴うジョブの種類の選択、選択したジョブでの項目の選択、選択した項目での設定値の設定が完了し、スタートキーＫ２が操作された（ジョブの実行開始指示がなされた）時点である。原稿読取を伴うジョブには、コピージョブや、スキャン送信ジョブがある。
【００４６】
なお、以下では、載置読取用コンタクトガラス７１に原稿Ｄをセットして、読み取りを行う場合を主に説明する。
【００４７】
スキャンテーブル部７に表示されたスタートキーＫ２の操作時点では、原稿搬送部３（カバー部）は、一定角度以上開けられている状態である。まず、読取制御部２０は、原稿Ｄのセット位置を示す原稿フレームＦ１と、原稿Ｄのセットに関するガイダンスＧ１の何れか一方、又は、両方をスキャンテーブル部７（透明表示パネル７２）に表示させる（ステップ♯１１）。
【００４８】
なお、原稿搬送部３に原稿Ｄを搬送させて読み取りを行うとき、原稿搬送部３は閉じられる。原稿搬送部３を閉じると、載置読取用コンタクトガラス７１は見えない。そこで、原稿搬送部３が一定角度よりも閉じられ、かつ、原稿搬送部３の原稿トレイ３２（図１参照）に原稿Ｄがセットされているとき、原稿搬送部３は自動的にセットされた原稿Ｄの搬送を開始し、読取制御部２０は、以下に説明する表示をスキャンテーブル部７に行わせずに原稿Ｄを読み取る。なお、原稿トレイ３２への原稿セットを検知するため、原稿搬送部３には、原稿セットセンサー３３が設けられる（図３参照）。原稿セットセンサー３３の出力に基づき、読取制御部２０は原稿トレイ３２にセットされた原稿Ｄがあるか否かを認識する。
【００４９】
一方、原稿搬送部３が一定角度よりも閉じられたものの、原稿トレイ３２に原稿Ｄがセットされないまま再び原稿搬送部３が一定角度以上開けられると、読取制御部２０は、図６のフローチャートを開始する。
【００５０】
図７〜図９に示すように、読取制御部２０は、セット位置やセットすべき原稿サイズのような原稿Ｄのセットに関するガイダンスＧ１をスキャンテーブル部７に表示させる。図７〜図９では、吹き出し図形の内側にガイダンスＧ１を表示する例を示している。
【００５１】
また、図７、図８に示すように、読取制御部２０は、原稿Ｄのセット位置を示す原稿フレームＦ１をスキャンテーブル部７に表示させる。読取制御部２０は、原稿フレームＦ１の領域の上方を読取部２１に読み取らせる。また、読取制御部２０は、載置読取用コンタクトガラス７１のうち原稿フレームＦ１に対応する部分の画像データを第１画像処理部２２に生成させる。原稿フレームＦ１は実寸大である。図７、図８では、原稿フレームＦ１を２点鎖線で示している。
【００５２】
そして、図７〜図９に示すように、読取制御部２０は、読み取る原稿Ｄのセットの方向を設定するためのセット方向キーＫ３（「縦」、「横」の文字を含む２つのソフトキー）をスキャンテーブル部７に表示させる。また、読取制御部２０は、図７〜図９に示すように、読み取る原稿Ｄのサイズを設定するための原稿サイズキーＫ４をスキャンテーブル部７（透明表示パネル７２）に表示させる。図７〜図９に示す例では、「Ｌｅｔｔｅｒ」「Ａ３」、「Ａ４」、「Ａ５」「Ｂ４」、「Ｂ５」の各サイズに対応する原稿サイズキーＫ４を表示する例を示している。また、「Ｍｏｒｅ」のキーを操作することにより、他の原稿サイズを選ぶこともできる。
【００５３】
図７は、表示される原稿フレームＦ１の変化を示している。図７のうち上段の図は、セットされた原稿Ｄの設定が「Ａ４・縦」のときの状態を示し、図７のうち下段の図は、セットされた原稿Ｄの設定が「Ａ５・横」のときの状態を示す。このように、読取制御部２０は、原稿サイズキーＫ４を表示し、タッチパネル部７３の出力に基づき、設定された原稿サイズ、方向に対応する原稿フレームＦ１をスキャンテーブル部７に表示させる（ステップ♯１２）。
【００５４】
読取制御部２０は、操作された原稿サイズキーＫ４、セット方向キーＫ３に対応する大きさ（選択された原稿サイズの実寸どおりの大きさ）と方向の原稿フレームＦ１をスキャンテーブル部７（透明表示パネル７２）に表示させる。尚、原稿フレームＦ１の端辺と、載置読取用コンタクトガラス７１の端辺を一致させる必要はない。
【００５５】
また、読取制御部２０は、タッチパネル部７３が、原稿フレームＦ１の位置を移動させる原稿フレーム移動操作を受け付けたとき、原稿フレーム移動操作によって指定された位置に原稿フレームＦ１を表示させる（ステップ♯１３）。
【００５６】
図８は、原稿フレーム移動操作によって、原稿フレームＦ１の位置を移動させた場合の一例を示している。本実施形態では、原稿フレーム移動操作は、原稿フレームＦ１の一部をタッチしたままタッチ位置をスライド移動させる操作（ドラッグ操作）である。図８の上段の図は、原稿フレームＦ１の移動前の状態を示す。図８の下段の図は、上段の図に示す白抜矢印方向にタッチ位置を移動させて原稿フレームＦ１を移動させた後の状態を示す。読取制御部２０は、載置読取用コンタクトガラス７１のうち、移動後の原稿フレームＦ１に対応する部分（領域）を読取部２１に読み取らせ、画像データを第１画像処理部２２に生成させる。
【００５７】
そして、読取制御部２０は、開閉センサー２３の出力に基づき、原稿搬送部３が閉じられたか（原稿搬送部３が一定角度よりも閉じられたか）を確認する（ステップ♯１４）。原稿搬送部３が閉じられていなければ（ステップ♯１４のＮｏ）、フローは、ステップ♯１１に戻る。
【００５８】
一方、原稿搬送部３が閉じられたとき（原稿搬送部３が一定角度よりも閉じられてから原稿搬送部３が完全に閉じられるまでに必要とされる所定時間が経過したとき、ステップ♯１４のＹｅｓ）、読取制御部２０は、スキャンテーブル部７を透過状態とさせる（ステップ♯１５）。言い換えると、読取制御部２０は、透明表示パネル７２を何も表示させない。そして、読取制御部２０は、セットされた原稿Ｄの読み取りを読取部２１に行わせる（ステップ♯１６）。
【００５９】
図９は、原稿搬送部３が閉じられたことによるスキャンテーブル部７での表示変化の一例を示す。図９の上段の図は、原稿フレームＦ１にあわせて原稿Ｄがセットされている状態の一例を示す。図９の上段の図では、セットされた原稿Ｄを網掛け矩形で示している。一方、原稿搬送部３が閉じられると、図９の下段の図に示すように、読取制御部２０は、表示していた画像を全て消させる。読取制御部２０は、スキャンテーブル部７が透過している状態で、読取部２１に読み取りを行わせる。
【００６０】
そして、読取制御部２０は、読み取りにより得られた画像データ（読取画像データ）を記憶部６に記憶させる（ステップ♯１６）。これにより、原稿Ｄの読み取りが完了する（エンド）。続いて、プレビュー画像Ｐの表示処理に移行する。
【００６１】
（プレビュー画像Ｐの表示）
次に、図１０〜図１５を用い、実施形態に係る画像読取装置１（複合機１００）でのプレビュー画像Ｐの表示の一例を説明する。図１０は、実施形態に係る画像読取装置１（複合機１００）でのプレビュー画像Ｐの表示の流れの一例を示すフローチャートである。図１１は、実施形態に係る出力フレームＦ２の一例を示す図である。図１２は、出力する画像データの拡大の一例を示す図である。図１３は、出力する画像データの縮小の一例を示す図である。図１４は、実施形態に係る出力フレームＦ２の位置の移動の一例を示す図である。図１５は、実施形態に係るプレビュー画像Ｐの位置の移動の一例を示す図である。
【００６２】
実施形態に係る画像読取装置１（複合機１００）では、載置読取用コンタクトガラス７１にセットされた原稿Ｄを読み取って得られた画像データ（スキャン結果）に基づき、プレビュー画像Ｐをスキャンテーブル部７に表示させることができる。プレビュー画像Ｐは、実際に印刷や送信のようなジョブを実行する前に、ジョブ結果のイメージを示すための画像である。
【００６３】
本実施形態の画像読取装置１、複合機１００では、原稿Ｄの読み取り後、主制御部５は直ちに、印刷や送信の出力処理を開始しない。読み取りで得られた画像データに基づきジョブを開始するには、一度、原稿搬送部３を一定角度以上、持ち上げる（開ける）ことが必要である。
【００６４】
なお、原稿搬送部３が搬送する原稿Ｄを読み取ったときも、プレビュー画像Ｐを表示するようにしてもよい。この場合、全原稿の読み取り完了後、一度、原稿搬送部３を一定角度以上開けることを、出力開始条件の１つとする。言い換えると、主制御部５は、全ての出力開始条件が満たされると、印刷、送信のような出力を開始させる。
【００６５】
また、プレビュー画像Ｐを確認してから出力を開始するか、プレビュー画像Ｐを確認なしに（原稿搬送部３を持ち上げることなく）出力を開始するか、スキャンテーブル部７で設定できるようにしてもよい。
【００６６】
そして、図１０のフローチャートのスタートは、プレビュー画像Ｐを確認してから出力を開始する場合である。例えば、原稿Ｄの読み取りが完了した時点（図６のフローチャートのエンドに到達した時点）である。
【００６７】
まず、読取制御部２０は、開閉センサー２３の出力に基づき、原稿搬送部３が一定角度以上開けられたことの確認を続ける（ステップ♯２１のＮｏ→ステップ♯２１）。一定角度以上開けられたとき、読取制御部２０は、原稿読取で得られた画像データ（読取画像データ）に基づくプレビュー画像Ｐを、読取画像データ（原稿Ｄ）の実寸大でスキャンテーブル部７に表示させる（ステップ♯２２）。ここで、プレビュー画像Ｐを確認するには、セットされた原稿Ｄをいったん取り除く必要がある。そのため、スキャンテーブル部７にプレビュー画像Ｐを表示することには、原稿Ｄの回収忘れを防ぐ効果もある。
【００６８】
スキャンテーブル部７（透明表示パネル７２）は、レターサイズでの読み取りが行われたときレターサイズのプレビュー画像Ｐを、Ａ４サイズでの読み取りが行われたときＡ４サイズのプレビュー画像Ｐを表示する。本実施形態の画像読取装置１では、プレビュー画像Ｐを確認しながら拡大、縮小の操作を行える（詳細は後述）。そのため、プレビュー画像Ｐを表示するとき、原稿読取前に拡大率、縮小率の設定を行う必要はない。読取制御部２０は、等倍で読み取る設定がなされたとき、又は、拡大率、縮小率の設定がなされないでスキャンがなされたとき等倍（実寸）で原稿フレームＦ１内を読取部２１に読み取らせる。そして、読取制御部２０は、原稿と同じサイズのプレビュー画像Ｐをスキャンテーブル部７に表示させる。
【００６９】
なお、原稿読取前に拡大率、縮小率の設定がなされたとき、読取制御部２０は、等倍時と同じ速度で、または、設定された倍率に応じた速度で読取部２１に読み取りを行わせ、第１画像処理部２２又は第２画像処理部５２は、原稿のサイズに倍率を乗じて得られるサイズの読取画像データを生成させる。そして、読取制御部２０は、原稿のサイズに倍率を乗じて得られる大きさのプレビュー画像Ｐをスキャンテーブル部７に表示させる。例えば、倍率が１２４％に設定されていたとき、読取制御部２０は、原稿よりも縦と横が２４％ずつ大きいプレビュー画像Ｐをスキャンテーブル部７に表示させる。
【００７０】
透明表示パネル７２と読取画像データでは、１ドットあたりの大きさが異なる場合がある。そこで、第２画像処理部５２（第１画像処理部２２でもよい）は、読取画像データの実寸大と同じ、又は、差が１〜数ドット未満となるような透明表示パネル７２での縦方向と横方向のドット数を求める。
【００７１】
そして、第２画像処理部５２は、求めたドット数となるように、読取画像データの縮小（画素の間引き）、又は、拡大（画素の追加）を行ってプレビュー用画像データを生成する。そして、第２画像処理部５２は、生成したプレビュー用画像データを読取制御部２０やスキャンテーブル部７に与える。スキャンテーブル部７は、与えられたプレビュー用画像データを用いて、実寸大の原稿読取結果（読取画像データ）を表示する。
【００７２】
また、読取制御部２０は、印刷や送信での出力結果のサイズを設定するための出力サイズキーＫ５をスキャンテーブル部７に表示させ、操作された（表示位置がタッチされた）出力サイズキーＫ５に対応するサイズの出力フレームＦ２をスキャンテーブル部７に表示させる（ステップ♯２３）。
【００７３】
また、図１１〜図１５に示すように、読取制御部２０は、読取画像データのうち、印刷や送信のような出力で用いられる領域を示す出力フレームＦ２をスキャンテーブル部７に表示させる。出力フレームＦ２は実寸大である。図１１〜図１５では、出力フレームＦ２を１点鎖線で示している。主制御部５は、出力フレームＦ２の領域内の画像データを用いて印刷部４に印刷を行わせ、出力フレームＦ２の領域内の画像データを指定された宛先向けて通信部５３に送信させる。
【００７４】
そして、図１１〜図１５に示すように、読取制御部２０は、出力のサイズ（出力用画像データのサイズ）を設定するための出力サイズキーＫ５をスキャンテーブル部７に表示させる。図１１〜図１５は、「Ｌｅｔｔｅｒ」「Ａ３」、「Ａ４」、「Ａ５」「Ｂ４」、「Ｂ５」の各サイズに対応する出力サイズキーＫ５を表示する例を示す。「Ｍｏｒｅ」のキーを操作することにより、他の出力サイズを選ぶこともできる。また、読取制御部２０は、図１１〜図１５に示すように、出力物の方向を設定するための出力方向キーＫ６（「縦」、「横」の文字を含む２つのソフトキー）をスキャンテーブル部７に表示させる。
【００７５】
図１１のうち上段の図は、セットされた原稿Ｄの設定が「Ａ５・縦」のときの状態を示し、図１１のうち下段の図は、セットされた原稿Ｄの設定が「Ｂ４・横」のときの状態を示す。このように、読取制御部２０は、出力サイズキーＫ５を表示し、タッチパネル部７３の出力に基づき、設定されたサイズ、方向に対応する出力フレームＦ２をスキャンテーブル部７（透明表示パネル７２）に表示させる（ステップ♯２３）。
【００７６】
また、読取制御部２０は、タッチパネル部７３が、読取画像データ（プレビュー画像Ｐ）を拡大する拡大操作、又は、縮小する縮小操作を受け付けたとき、操作量に応じた倍率となるように拡大又は縮小されたプレビュー画像Ｐをスキャンテーブル部７（透明表示パネル７２）に表示させる（ステップ♯２４）。
【００７７】
図１２は、プレビュー画像Ｐを拡大する場合の一例を示している。本実施形態の拡大操作は、タッチパネル部７３を２点タッチし、タッチした２点の間隔を広げる操作（いわゆるピンチアウト操作）である。図１２は、図１１の拡大操作による拡大後のプレビュー画像Ｐの一例を示している。タッチした２点の間隔（距離）が大きくなるほど拡大率が大きいものと扱われる。そのため、２点のタッチ位置の距離が長くなっていくごとに、表示されるプレビュー画像Ｐは大きくなる。
【００７８】
図１３は、プレビュー画像Ｐを縮小する場合の一例を示している。本実施形態の縮小操作は、載置読取用コンタクトガラス７１（スキャンテーブル部７のタッチパネル部７３）を２点タッチし、タッチした２点の間隔を狭める操作（ピンチイン操作）である。図１３は、図１１の縮小操作による縮小後のプレビュー画像Ｐを示している。タッチした２点の間隔（距離）が近づくほど縮小率が大きいものと扱われる。そのため、２点のタッチ位置が近づくほど、表示されるプレビュー画像Ｐは小さくなる。
【００７９】
２点タッチがなされたとき、読取制御部２０は、２点の座標の距離を求める。そして、読取制御部２０は、２点の座標の距離の変化を把握する。２点の距離の変化量に対応する倍率を定めたテーブルデータを記憶部６に記憶させておく。２点の距離が近づいた場合には１００％未満の倍率となり、２点の距離が離れた場合には、１００％を超える倍率となるようにテーブルデータは定められる。また、２点の距離が近づくほど倍率が小さくなり、２点の距離が遠くなるほど倍率が大きくなるようにテーブルデータは定められる。
【００８０】
読取制御部２０は、２点のタッチ位置の距離が変化したとき、テーブルデータを参照し、変化量に対応する倍率を定める。そして、主制御部５は、読取制御部２０から倍率の通知を受け、求めた倍率に応じたプレビュー画像用の画像データを第２画像処理部５２（第１画像処理部２２でもよい）に生成させる。第２画像処理部５２は、最初の（実寸大）のプレビュー用画像データに対し、求めた倍率のズーム処理を行って、拡大操作又は縮小操作に応じた倍率で表示するためのプレビュー用画像データを新たに生成する。
【００８１】
第２画像処理部５２は、生成した新たなプレビュー用画像データを読取制御部２０やスキャンテーブル部７に与える。スキャンテーブル部７は、新たなプレビュー用画像データに基づき、表示するプレビュー画像Ｐを変更する。
【００８２】
第２画像処理部５２は、出力用画像データを生成するとき、読取画像データに求めた倍率を乗じ、読取画像データの拡大又は縮小処理を行う。そして、第２画像処理部５２は、拡大又は縮小された読取画像データのうち、出力フレームＦ２に対応する部分を切り出し、出力用画像データを生成する。
【００８３】
また、読取制御部２０は、タッチパネル部７３が、出力フレームＦ２の位置を移動させる出力フレーム移動操作を受け付けたとき、出力フレーム移動操作によって指定された位置に出力フレームＦ２の表示位置をスキャンテーブル部７に移動させる（ステップ♯２５）。
【００８４】
本実施形態の出力フレーム移動操作は、出力フレームＦ２の一部をタッチしたままタッチ位置をスライド移動させる操作（ドラッグ操作）である。図１４の上段の図は、出力フレームＦ２の移動前の状態であって、出力フレームＦ２の一部をタッチした状態を示している。図１４の下段の図は、上段の図に白抜矢印で示す方向にタッチ位置をスライド移動させた結果、出力フレームＦ２が移動された状態を示す。第２画像処理部５２は、読取画像データのうち、移動後の出力フレームＦ２に対応する部分を切り出し、印刷出力や送信出力に用いる出力用画像データを生成する。
【００８５】
このように、実サイズのプレビュー画像Ｐを見ながら、読取画像データのうち、どの部分が抽出されるかを容易に確認することができる。そして、読取画像データのうち必要な部分を抽出した出力を容易に得ることができる。
【００８６】
従来、原稿Ｄを拡大コピーするとき、印刷したい部分が出力用紙内に収まるように倍率を予め計算したり、出力用紙内に印刷したい部分が入るように原稿Ｄのセット位置を意図的にずらしたりするような工夫が必要であった。うまくいくまで、試行錯誤を繰り返す必要があった。しかし、本実施形態の画像読取装置１によれば、スキャンの後で、実際にどのようなサイズになるかを実寸大で確認しながら、倍率とどの部分を出力するかを、簡単に設定することができる。
【００８７】
また、読取制御部２０は、タッチパネル部７３がプレビュー画像Ｐの位置を移動させるプレビュー画像移動操作を受け付けたとき、プレビュー画像移動操作によって指定された位置になるように、スキャンテーブル部７にプレビュー画像Ｐの表示位置を変えさせる（ステップ♯２６）。
【００８８】
本実施形態のプレビュー画像移動操作は、出力フレームＦ２に重ならないようにプレビュー画像Ｐの一部をタッチしたまま、タッチ位置をスライド移動させる操作（ドラッグ操作）である。図１５の上段の図は、プレビュー画像Ｐの移動前の状態であって、プレビュー画像Ｐの一部をタッチした状態を示している。図１５の下段の図は、上段の図に白抜矢印で示す方向にタッチ位置をスライド移動させた結果、プレビュー画像Ｐが移動された後の状態を示す。第２画像処理部５２は、読取画像データのうち移動後の出力フレームＦ２に対応する部分を切り出し、印刷出力や送信出力に用いる出力用画像データを生成する。
【００８９】
このように、実際のサイズと同じサイズのプレビュー画像Ｐを見ながら、プレビュー画像Ｐの表示位置を動かすことによっても、読取画像データから正確に所望する部分を抽出して、出力を得ることができる。
【００９０】
そして、読取制御部２０は、開閉センサー２３の出力に基づき、原稿搬送部３が閉じられたか（原稿搬送部３が一定角度より未満になったか）を確認する（ステップ♯２７）。これにより、原稿搬送部３を閉じたことをトリガー（条件）として出力が開始されることになる。原稿搬送部３が閉じられていなければ（ステップ♯２７のＮｏ）、フローはステップ♯２２に戻る。なお、スキャンテーブル部７に出力開始用のキーを表示させておき、出力開始用のキーが操作されたときに出力が開始されるようにしてもよい。
【００９１】
一方、原稿搬送部３が閉じられたとき（原稿搬送部３が一定角度よりも閉じられてから原稿搬送部３が完全に閉じられるまでに必要とされる所定時間が経過したとき、ステップ♯２７のＹｅｓ）、第２画像処理部５２は、読取画像データの全部、又は、読取画像データから出力フレームＦ２に対応する部分を切り出し、印刷出力や送信出力に用いる出力用画像データを生成する（ステップ♯２８）そして、主制御部５は、出力用画像データに基づき、印刷や送信のようなジョブを行わせる（ステップ♯２９）。そして、本フローは終了する（エンド）。
【００９２】
（スキャンテーブル部７の清掃）
次に、図３、図１６を用いて、実施形態に係るスキャンテーブル部７の清掃の一例を説明する。図１６は、実施形態に係る画像読取装置１での清掃を説明するための図である。
【００９３】
本実施形態の画像読取装置１では、各種設定や、原稿読取、プレビュー画像Ｐの表示、印刷出力や送信出力に関し、スキャンテーブル部７の表面（タッチパネル部７３）へのタッチが行われる。タッチを行うので、指紋、皮脂のような汚れがタッチパネル部７３の表面に付くことがある。また、使用者の指に付着していた何らかのゴミがタッチによって、タッチパネル部７３に付く場合もある。
【００９４】
汚れは、原稿Ｄと光源の間に位置する。そのため、汚れが読み取られる場合がある。汚れを読み取ると、原稿Ｄの再現性が低下し、読取画像データの画質や出力結果の品質が低下する。
【００９５】
そこで、実施形態に係る画像読取装置１は、清掃部材８１と、清掃部材８１を移動させる清掃機構８２を含む。図１６の下方の図は、画像読取部２と原稿搬送部３を正面側からみた模型的断面図である。図１６の上方の図は、画像読取部２を上面から見た図であって、下方の図に対応させた図である。
【００９６】
具体的に、清掃部材８１と清掃機構８２は、原稿搬送部３内に設けられる。図１６では、便宜上、清掃部材８１を２本示しているが、これは、移動範囲の両端を示すものであって、左右いずれか１方に（１本のみ）設ければよい。清掃部材８１は、ローラー状である（ローラー状でなくてもよい）。清掃部材８１は、スキャンテーブル部７（タッチパネル部７３）と接して、表面の汚れを拭き取る。清掃部材８１のうち、スキャンテーブル部７と接する部分の素材は、布や軟質樹脂のような汚れを拭き取れる素材であって、タッチパネル部７３を傷つけないような素材である。
【００９７】
図１６の上方の図に示すように、載置読取用コンタクトガラス７１の主走査方向と清掃部材８１の長手方向は平行とされる。そして、清掃部材８１は、載置読取用コンタクトガラス７１の主走査方向の幅よりも長い。そして、清掃部材８１の長辺方向の端の両方とも載置読取用コンタクトガラス７１の外側となるような位置に清掃部材８１が設けられる。言い換えると、清掃部材８１は、載置読取用コンタクトガラス７１をまたぐ。
【００９８】
原稿搬送部３の下面には、凹状の空間８４が設けられる。清掃機構８２は、清掃モーター８３（図３参照）の駆動を利用して、清掃部材８１を凹状の空間８４内で、副走査方向で往復させる。清掃機構８２は、清掃部材８１の移動をガイドするレールや、ワイヤーやベルトのような清掃モーター８３の駆動により清掃部材８１を移動させるための部品を含む。
【００９９】
清掃部材８１の退避位置は、載置読取用コンタクトガラス７１の左端よりも左側の位置（図１６のＡ地点）としてもよいし、載置読取用コンタクトガラス７１の右端よりも右側の位置としてもよい（図１６のＢ地点）。Ａ地点を退避位置とする場合、清掃時、清掃機構８２は、Ａ地点（退避位置）からＢ地点に向けて清掃部材８１を移動させ、Ｂ地点到ると、清掃部材８１をＡ地点まで戻す。反対に、Ｂ地点を退避位置とする場合、清掃時、清掃機構８２は、Ｂ地点（退避位置）からＡ地点に向けて清掃部材８１を移動させ、Ａ地点到ると、清掃部材８１をＢ地点まで戻す。このように、清掃部材８１は、載置読取用コンタクトガラス７１の上面全体を拭き取る（図１６の白抜矢印参照）。
【０１００】
載置読取用コンタクトガラス７１の清掃の実行時点は、適宜定めることができる。プレビュー画像Ｐの確認後、原稿搬送部３が閉じられ、印刷や送信のような出力の開始にあわせて、清掃を開始してもよい。また、複合機１００（画像読取装置１）の主電源が投入されたことによって複合機１００（画像読取装置１）が起動した時点や、省電力モードが解除された時点に清掃を開始するようにしてもよい。
【０１０１】
画像読取装置１、画像形成装置に設けられ、原稿Ｄがセットされるコンタクトガラス（載置読取用コンタクトガラス７１）は、設置可能な原稿サイズよりも大きい。そこで、実施形態に係る画像読取装置１は、読み取る原稿Ｄがセットされるコンタクトガラスと、表示される画像に対する使用者の操作を認識するためのタッチパネル部７３を含み、コンタクトガラスを透過型ディスプレイとして用いるスキャンテーブル部７と、コンタクトガラスにセットされた原稿Ｄを押さえるためのカバー部（原稿搬送部３）と、コンタクトガラスにセットされた原稿Ｄを読み取る読取部２１（光源部２１ａ、移動枠２１ｂ、移動機構２１ｃ、イメージセンサー２１ｅ等）と、読取部２１による読み取り結果として、原稿Ｄの画像データを生成する画像処理部（第１画像処理部２２）と、を含む。
【０１０２】
このように、コンタクトガラス（載置読取用コンタクトガラス７１）を透過型ディスプレイのガラス板として用いる。コンタクトガラスは、Ａ３サイズのようなセット可能な原稿Ｄの最大サイズよりも大きいので、画像読取装置１、画像形成装置の画面サイズを従来よりも飛躍的に大きくすることができる。例えば、通常の操作パネルの表示部で表示されるガイダンス、メッセージのような文字を含む情報や、設定画面、キーを、従来よりも飛躍的に大きく表示させることができる。また、プレビュー画像Ｐも、実寸大で表示することができる。しかも、従来設けられている操作パネル内の表示部の画面サイズを大きくするのではなく、コンタクトガラスを用いて表示を行う。そのため、画像読取装置１を設置するために、今までよりも広いスペースは必要ない。また、ディスプレイと原稿Ｄのセット位置が一体化されているので、使用者の意識をスキャンテーブル部７に集中させることができる。そのため、読み取り後の原稿Ｄの回収を忘れることも少なくなる。
【０１０３】
また、スキャンテーブル部７は、原稿Ｄのセット位置を示す原稿フレームＦ１と、原稿Ｄのセットに関するガイダンスＧ１の何れか一方、又は、両方を表示する。これにより、コンタクトガラス（載置読取用コンタクトガラス７１）への原稿セットミスを減らすことができる。
【０１０４】
また、スキャンテーブル部７は、セットされた原稿Ｄのサイズを設定するための原稿サイズキーＫ４を表示し、タッチパネル部７３の出力に基づき、原稿サイズキーＫ４への操作によって選択された原稿サイズに対応する大きさの原稿フレームＦ１を表示する。
【０１０５】
これにより、使用者は、セットする原稿Ｄのサイズを自由に定めることができる。また、原稿フレームＦ１のサイズは、原稿Ｄの各サイズに応じたサイズになるので、どのようなサイズの原稿Ｄでも、セットミスの発生を防ぐことができる。
【０１０６】
従来、原稿Ｄのセットでは、所定の基準点と原稿Ｄの左上隅を合わせることや、コンタクトガラス（載置読取用コンタクトガラス７１）の端辺と原稿Ｄの辺を合わせることが行われていた。しかし、分厚い本の読み取りでは、読み取りを行う見開きページの隅や辺が、コンタクトガラスの基準点や端辺とあっているかわかりづらい。そのため、原稿Ｄがずれた状態で読み取りが行われる場合があり、ずれると、原稿Ｄの読み取りやその出力をやり直さなくてはならない。そこで、タッチパネル部７３は、原稿フレームＦ１の位置を移動させる原稿フレーム移動操作を受け付ける。スキャンテーブル部７は、原稿フレーム移動操作によって指定された位置に原稿フレームＦ１を表示する。
【０１０７】
これにより、コンタクトガラス（載置読取用コンタクトガラス７１）の基準点や端辺にあわせて原稿Ｄをセットする必要がなくなり、書籍のような原稿Ｄをセットしてから、原稿フレームＦ１内に読み取りたい部分が収まるように、原稿フレームＦ１を移動させることができる。従って、原稿Ｄにあわせて読み取る範囲を調整することができる。
【０１０８】
また、画像読取装置１は、カバー部（原稿搬送部３）の開閉状態を検知するための開閉センサー２３を含む。スキャンテーブル部７は、カバー部が一定角度以上開けられている状態で原稿フレームＦ１を表示する。これにより、カバー部が開けられていて、コンタクトガラス（載置読取用コンタクトガラス７１）が露出している（見える）状態のときに限り、原稿フレームＦ１を表示する。
【０１０９】
また、カバー部（原稿搬送部３）が閉じられた状態のとき、スキャンテーブル部７は、透過状態となる。読取部２１（光源部２１ａ、移動枠２１ｂ、移動機構２１ｃ、イメージセンサー２１ｅ等）は、スキャンテーブル部７が透過状態のとき、原稿Ｄの読み取りを行う。これにより、原稿Ｄの読み取り実行中、スキャンテーブル部７は透過状態となる。スキャンテーブル部７に写された画像を読み取ることがなく、原稿Ｄを正確に読み取ることができる。
【０１１０】
また、読取部２１（光源部２１ａ、移動枠２１ｂ、移動機構２１ｃ、イメージセンサー２１ｅ等）は、タッチパネル部７３で指定されたサイズで原稿Ｄを読み取る。スキャンテーブル部７は、原稿Ｄの読み取りにより得られた画像データである読取画像データに基づくプレビュー画像Ｐを、読取画像データの実寸大で表示する。
【０１１１】
これにより、読み取りにより得られた画像データに基づく印刷結果や、読み取りにより得られた画像データに基づく送信出力結果の予想を示すプレビュー画像Ｐを、実サイズで確認することができる。従って、プレビュー画像Ｐを実寸よりも小さく操作パネル内の表示部に表示する場合に比べ、実際の出力結果により近いプレビュー画像Ｐを使用者に示すことができる。従って、使用者はより実際の結果に近いプレビュー画像Ｐを見ることができる。
【０１１２】
また、スキャンテーブル部７は、画像処理部（第１画像処理部２２又は第２画像処理部５２）が読取画像データに基づき生成し、出力に用いる出力用画像データのサイズを設定するための出力サイズキーＫ５を表示し、操作された出力サイズキーＫ５に対応する大きさのフレームであって、画像処理部が読取画像データに基づき生成する出力用画像データの実寸大のフレームである出力フレームＦ２をプレビュー画像Ｐに重ねて表示する。
【０１１３】
これにより、出力サイズキーＫ５を操作することにより、実寸大のプレビュー画像Ｐを見ながら、出力用画像データのサイズを設定することができる。また、プレビュー画像Ｐに重ねられる出力フレームＦ２により、読取画像データのうちどの部分が出力用画像データとして抽出されるか、及び、抽出される実際のサイズを確認することができる。
【０１１４】
また、タッチパネル部７３は、プレビュー画像Ｐの位置を移動させる操作、又は、出力フレームＦ２の位置を移動させる操作を受け付ける。スキャンテーブル部７は、移動後の位置にプレビュー画像Ｐ、又は、出力フレームＦ２を表示する。画像処理部（第１画像処理部２２又は第２画像処理部５２）は、読取画像データのうち出力フレームＦ２に対応する部分を切り出して出力用画像データを生成する。
【０１１５】
これにより、実寸大のプレビュー画像Ｐを見ながら、読取画像データのうち、出力フレームＦ２の位置を自由に定めることができる。従って、読取画像データのうち出力する範囲を容易に定めることができる。しかも、実寸大の画像を見ながら、スキャンテーブル部７での操作だけで抽出する範囲を設定することができるので、従来の小型の表示部での操作や、一端画像データを出力してからＰＣで加工する場合に比べて容易に出力範囲を定めることができる。
【０１１６】
また、タッチパネル部７３は、読取画像データの拡大又は縮小操作を受け付ける。スキャンテーブル部７は、タッチパネル部７３になされた拡大又は縮小操作に応じて拡大、又は、縮小されたプレビュー画像Ｐを表示する。画像処理部（第１画像処理部２２又は第２画像処理部５２）は、読取画像データに拡大又は縮小操作に応じたズーム処理を行って、出力用画像データを生成する。
【０１１７】
これにより、実寸大のプレビュー画像Ｐを見ながら、所望する出力を得る上で適切な読取画像データの拡大率又は縮小率を自由かつ容易に定めることができる。従って、実寸大の画像を見ながら、スキャンテーブル部７での操作だけで拡大率又は縮小率を設定することができるので、所望の結果を得るために、予め適切と思われる拡大率又は縮小率を使用者が計算して読み取りを行う場合に比べて容易に出力範囲を定めることができる。また、所望の結果が得られるまで、拡大率又は縮小率を少しずつ変えつつ読み取りを繰り返すような試行錯誤をする必要もなくなる。また、一端画像データを出力してからＰＣで加工する場合に比べて読取場所で容易に出力範囲を定めることができる。
【０１１８】
また、カバー部（原稿搬送部３）は、コンタクトガラス（載置読取用コンタクトガラス７１）と接する清掃部材８１と清掃部材８１を移動させてスキャンテーブル部７の上面の汚れを拭き取る清掃機構８２を含む。これにより、コンタクトガラス（タッチパネル部７３）が使用者の操作によってタッチされても、タッチによる汚れを取り除くことができる。従って、原稿Ｄとともに汚れも読み取って、汚れが画像データに反映されることを無くすことができる。
【０１１９】
また、清掃部材８１は、コンタクトガラス（載置読取用コンタクトガラス７１）の主走査方向の幅よりも長く、清掃部材８１はコンタクトガラスをまたぐように設けられ、清掃機構８２は、コンタクトガラスの上面全体の拭き取りがなされるように、清掃部材８１をコンタクトガラスの副走査方向に移動させる。これにより、コンタクトガラス（載置読取用コンタクトガラス７１）の全面を拭き掃除することができる。
【０１２０】
また、スキャンテーブル部７は、実行しようとするジョブに関する設定画面と、設定用のキーを表示する。タッチパネル部７３は、実行しようとするジョブに関する設定を受け付ける。これにより、スキャンテーブル部７であらゆる設定を行うことができる。従って、従来のようなタッチパネル部７３を設けなくてもよくなる。
【０１２１】
また、画像形成装置（複合機１００）は、上述の画像読取装置１を含む。これにより、従来の操作パネルの表示部の画面サイズを大きくするのではなく、コンタクトガラス（載置読取用コンタクトガラス７１）上に表示を行うので、画像形成装置のサイズ自体は大きくしないものの、表示画面のサイズが飛躍的に大型化された画像形成装置を提供することができる。また、ディスプレイと原稿Ｄのセット位置が一体化されているので、使用者の意識をスキャンテーブル部７に集中させることができる。そのため、読み取り後の原稿Ｄの回収を忘れのない画像形成装置を提供することができる。
【０１２２】
また、画像形成装置（複合機１００）は、印刷を行う印刷部４を含む。印刷部４は、プレビュー画像Ｐの表示後、カバー部（原稿搬送部３）が閉じられたとき、読取画像データに基づき印刷を行う。これにより、カバー部が閉じられると、自動的に印刷を開始する画像形成装置を提供することができる。従って、原稿読取を伴うジョブ（コピージョブ）の開始を１回実行すればよく、何度もジョブの進行に関する入力を行わなくてよい。
【０１２３】
また、画像形成装置（複合機１００）は、送信を行う通信部５３を含む。通信部５３は、プレビュー画像Ｐの表示後、カバー部（原稿搬送部３）が閉じられたとき、読取画像データ基づいたデータを送信する。これにより、カバー部が閉じられると、読取画像データ（出力用画像データ）に基づいて自動的に送信を開始する画像形成装置を提供することができる。従って、原稿読取を伴うジョブ（スキャン送信ジョブ）の開始を１回実行すればよく、何度もジョブの進行に関する入力を行わなくてよい。
【０１２４】
本発明の実施形態を説明したが、本発明の範囲はこれに限定されるものではなく、発明の主旨を逸脱しない範囲で種々の変更を加えて実施することができる。
【産業上の利用可能性】
【０１２５】
本発明は、操作パネルを含む画像形成装置に使用可能である。
【符号の説明】
【０１２６】
１００  複合機（画像形成装置）          １      画像読取装置
２      画像読取部                      ２１    読取部
２１ａ  光源部（読取部）                ２１ｂ  移動枠（読取部）
２１ｃ  移動機構（読取部）              ２１ｅ  イメージセンサー（読取部）
２２    第１画像処理部（画像処理部）    ２３    開閉センサー
３      原稿搬送部（カバー部）          ４      印刷部
５２    第２画像処理部（画像処理部）    ５３    通信部
７      スキャンテーブル部
７１    載置読取用コンタクトガラス（コンタクトガラス）
７３    タッチパネル部                  ８１    清掃部材
８２    清掃機構                        Ｄ      原稿
Ｆ１    原稿フレーム                    Ｆ２    出力フレーム
Ｇ１    ガイダンス                      Ｋ４    原稿サイズキー
Ｋ５    出力サイズキー                  Ｐ      プレビュー画像
【図１】
0006375987.tif 000002
【図２】
0006375987.tif 000003
【図３】
0006375987.tif 000004
【図４】
0006375987.tif 000005
【図５】
0006375987.tif 000006
【図６】
0006375987.tif 000007
【図７】
0006375987.tif 000008
【図８】
0006375987.tif 000009
【図９】
0006375987.tif 000010
【図１０】
0006375987.tif 000011
【図１１】
0006375987.tif 000012
【図１２】
0006375987.tif 000013
【図１３】
0006375987.tif 000014
【図１４】
0006375987.tif 000015
【図１５】
0006375987.tif 000016
【図１６】
0006375987.tif 000017